(57)【要約】【課題】カメラ本体の大型化と操作性の低下とを招くことなくレンズユニットの回転位置のズレを防止する。【解決手段】カメラ本体の前面には、略正八角形状の開口２０ａが形成された有底穴状の本体側マウント２０が設けられている。一方、レンズユニットの背面には、略正八角柱状に形成されたレンズ側マウント２２が突設されている。カメラ本体の内部には、一対のロック部材３１、３２と、これらをスライド移動させる移動機構３３とからなる挟持固定部３０が設けられている。各ロック部材３１、３２は、レンズ側マウント２２に合わせて形成された台形状の切欠３１ａ、３２ａを有している。挟持固定部３０は、挟持方向に対して約４５度傾斜したレンズ側マウント２２の側面に各切欠３１ａ、３２ａの傾斜面を接触させるようにして、本体側マウント２０に挿入されたレンズ側マウント２２を挟持固定する。【選択図】図３
2007219140.tif 000002
【特許請求の範囲】
【請求項１】
撮影レンズが前面に設けられた鏡筒を有するレンズユニットと、このレンズユニットを着脱自在に保持するカメラ本体とからなるカメラシステムにおいて、
前記レンズユニットは、前記鏡筒の背面に突設された略柱状のレンズ側マウントと、前記撮影レンズの光軸と略平行となるように前記レンズ側マウントの側面の少なくとも一部に形成された基準平面とを有し、
前記カメラ本体は、前記レンズ側マウントが挿抜される略穴状の本体側マウントと、前記本体側マウントに挿入された前記レンズ側マウントを前記基準平面と接触するように挟持して固定する挟持固定手段とを有していることを特徴とするカメラシステム。
【請求項２】
前記挟持固定手段は、前記本体側マウントを挟むように対向して配置された一対のロック部材と、前記本体側マウントに挿入された前記レンズ側マウントを挟持固定する挟持位置と挟持を解除して前記レンズ側マウントの挿抜を可能にする解除位置との間で前記各ロック部材の少なくとも一方を移動させる移動機構と、前記レンズ側マウントの形状に合わせて平面状又は凸状又は凹状のいずれかに形成されるとともに、前記挟持位置に移動した際に前記基準平面と接触するように前記各ロック部材の少なくとも一方に設けられた接触部とからなることを特徴とする請求項１記載のカメラシステム。
【請求項３】
前記移動機構は、前記各ロック部材の少なくとも一方を前記挟持位置と前記解除位置とに移動させるとともに、前記レンズ側マウントが挿入されていない状態のときに前記本体側マウントを塞ぐ閉じ位置に移動させることを特徴とする請求項２記載のカメラシステム。
【請求項４】
前記挟持固定手段は、前記カメラ本体の外装ケースにスライド自在に取り付けられ、前記本体側マウントに挿入された前記レンズ側マウントを前記外装ケースとともに挟持固定する挟持位置と挟持を解除して前記レンズ側マウントの挿抜を可能にする解除位置との間で移動するスライド部材と、前記レンズ側マウントの形状に合わせて平面状又は凸状又は凹状のいずれかに形成されるとともに、前記挟持位置に移動した際に前記基準平面と接触するように前記外装ケースと前記スライド部材との少なくとも一方に設けられた接触部とからなることを特徴とする請求項１記載のカメラシステム。
【請求項５】
前記レンズ側マウントは、略正八角柱状に形成され、
前記挟持固定手段は、挟持方向に対して約４５度傾斜した前記レンズ側マウントの側面を前記基準平面として前記レンズ側マウントを挟持固定することを特徴とする請求項１から４のいずれか１項に記載のカメラシステム。
【請求項６】
前記接触部が、前記レンズ側マウントの形状に合わせて形成された略台形状の切欠であることを特徴とする請求項５記載のカメラシステム。
【請求項７】
前記カメラ本体と前記レンズユニットとは、前記本体側マウントと前記レンズ側マウントとの一方に設けられた雄コネクタと、他方に設けられた雌コネクタとを有しており、
前記雄コネクタと前記雌コネクタとは、前記挟持固定手段が前記レンズ側マウントを挟持固定した際に嵌合して、前記カメラ本体と前記レンズユニットとを電気的に接続することを特徴とする請求項１から６のいずれか１項に記載のカメラシステム。
【請求項８】
前記雄コネクタは、前記カメラ本体から前記レンズユニットに供給する電源の正極用のピン端子と、前記電源の負極用のピン端子と、前記レンズユニットが前記カメラ本体に取り付けられたか否かを検出する際に用いられる検出用のピン端子とを有するとともに、前記負極用のピン端子が最も長く、前記検出用のピン端子が最も短くなるように構成されていることを特徴とする請求項７記載のカメラシステム。
【請求項９】
前記カメラ本体は、前記レンズ側マウントが挿入されていない状態のときに前記本体側マウントを覆う位置と、前記本体側マウントを露呈させる位置との間で移動自在な蓋部材を有することを特徴とする請求項１から８のいずれか１項に記載のカメラシステム。
【請求項１０】
前記レンズ側マウントの側面には、挟持固定される際に前記挟持固定手段の一部が入り込む係合溝が設けられていることを特徴とする請求項１から９のいずれか１項に記載のカメラシステム。
【請求項１１】
前記レンズユニットには、前記撮影レンズが結像した被写体像を光電変換して前記被写体像に応じた画像データを取得する撮像素子が設けられていることを特徴とする請求項１から１０のいずれか１項に記載のカメラシステム。
【請求項１２】
撮影レンズが前面に設けられた鏡筒と、前記鏡筒の背面に突設された略柱状のレンズ側マウントと、前記撮影レンズの光軸と略平行となるように前記レンズ側マウントの側面の少なくとも一部に形成された基準平面とを有するレンズユニットを着脱自在に保持するカメラにおいて、
前記レンズ側マウントが挿抜される略穴状の本体側マウントと、
前記本体側マウントに挿入された前記レンズ側マウントを前記基準平面と接触するように挟持して固定する挟持固定手段とを設けたことを特徴とするカメラ。
【発明の詳細な説明】
【技術分野】
【０００１】
本発明は、撮影レンズが前面に設けられた鏡筒を有するレンズユニットを着脱自在に保持するレンズ交換式のカメラシステム及びカメラに関する。
【背景技術】
【０００２】
被写体像をＣＣＤイメージセンサなどの撮像素子で撮像してデジタルの画像データに変換し、内蔵メモリやメモリカードなどの記録媒体に記録するデジタルカメラの普及が進んでいる。近頃では、撮影レンズをレンズユニットとして着脱自在にすることにより、異なるレンズ特性を容易に得られるようにしたレンズ交換式の機種も多く販売されるようになってきている。
【０００３】
レンズ交換式のデジタルカメラでは、レンズユニットの交換時に塵埃などがカメラ本体内に侵入してしまうことがある。カメラ本体内に侵入した塵埃などは、撮像素子の撮像面などに付着し、画質の劣化や故障の要因となってしまう。これを防止するため、撮像素子をレンズユニット側に設けることによって、撮像素子を露呈させずに撮影レンズの交換を行えるようにしたカメラシステムが、例えば、特許文献１などで提案されている。
【特許文献１】特開２０００−１０６６４０号公報
【特許文献２】特開２００４−３６１８９８号公報
【発明の開示】
【発明が解決しようとする課題】
【０００４】
レンズ交換式のデジタルカメラなどでは、レンズユニットとカメラ本体との接続に、光学的な軸精度の良いネジマウントやバヨネットマウントが好ましく採用されている（特許文献２参照）。しかしながら、ネジマウントやバヨネットマウントには、機械的な誤差や締め付け具合などによって、光軸回りの回転位置にズレが生じやすいという問題がある。このため、撮影レンズと撮像素子とを一体化させたレンズユニットの取り付けにネジマウントやバヨネットマウントを用いると、カメラ本体に対して撮像素子が傾き、カメラ本体を構えた向きと取得される画像の向きとが異なってしまう場合がある。また、回転位置にズレが生じると、カメラ本体とレンズユニットとを電気的に接続する端子が正常に接触せず、誤動作や故障の要因にもなってしまう。
【０００５】
また、特許文献２に記載されているように、位置決め用のピンを係合させることによって、回転位置を正確に合わせられるようにしたバヨネットマウントも知られている。しかしながら、このようなバヨネットマウントでは、レンズユニットを取り外す際に、ボタンなどを操作してピンの係合を解除しながらレンズユニットを回転させなければならず、レンズユニットの着脱に関して必ずしも操作性が良いといえるものではなかった。
【０００６】
さらに、特許文献１記載のカメラシステムでは、略直方体状に形成されたレンズユニットをカメラ本体内に収容するようにしており、回転位置のズレを生じさせることなく簡単にレンズユニットの着脱を行うことができるが、このような構成では、レンズユニットを収容するスペースの分だけカメラ本体の大型化が懸念される。
【０００７】
本発明は、上記課題を鑑みてなされたものであって、カメラ本体の大型化と操作性の低下とを招くことなく、レンズユニットの回転位置のズレを防止することを目的とする。
【課題を解決するための手段】
【０００８】
上記課題を達成するため、本発明のカメラシステムは、撮影レンズが前面に設けられた鏡筒を有するレンズユニットと、このレンズユニットを着脱自在に保持するカメラ本体とからなり、前記レンズユニットに、前記鏡筒の背面に突設された略柱状のレンズ側マウントと、前記撮影レンズの光軸と略平行となるように前記レンズ側マウントの側面の少なくとも一部に形成された基準平面とを設け、前記カメラ本体に、前記レンズ側マウントが挿抜される略穴状の本体側マウントと、前記本体側マウントに挿入された前記レンズ側マウントを前記基準平面と接触するように挟持して固定する挟持固定手段とを設けたことを特徴とする。
【０００９】
なお、前記挟持固定手段は、前記本体側マウントを挟むように対向して配置された一対のロック部材と、前記本体側マウントに挿入された前記レンズ側マウントを挟持固定する挟持位置と挟持を解除して前記レンズ側マウントの挿抜を可能にする解除位置との間で前記各ロック部材の少なくとも一方を移動させる移動機構と、前記レンズ側マウントの形状に合わせて平面状又は凸状又は凹状のいずれかに形成されるとともに、前記挟持位置に移動した際に前記基準平面と接触するように前記各ロック部材の少なくとも一方に設けられた接触部とからなることが好ましい。
【００１０】
また、前記移動機構は、前記各ロック部材の少なくとも一方を前記挟持位置と前記解除位置とに移動させるとともに、前記レンズ側マウントが挿入されていない状態のときに前記本体側マウントを塞ぐ閉じ位置に移動させることが好ましい。
【００１１】
さらに、前記挟持固定手段は、前記カメラ本体の外装ケースにスライド自在に取り付けられ、前記本体側マウントに挿入された前記レンズ側マウントを前記外装ケースとともに挟持固定する挟持位置と挟持を解除して前記レンズ側マウントの挿抜を可能にする解除位置との間で移動するスライド部材と、前記レンズ側マウントの形状に合わせて平面状又は凸状又は凹状のいずれかに形成されるとともに、前記挟持位置に移動した際に前記基準平面と接触するように前記外装ケースと前記スライド部材との少なくとも一方に設けられた接触部とからなる構成としてもよい。
【００１２】
なお、前記レンズ側マウントは、略正八角柱状に形成され、前記挟持固定手段は、挟持方向に対して約４５度傾斜した前記レンズ側マウントの側面を前記基準平面として前記レンズ側マウントを挟持固定するすることが好ましい。
【００１３】
また、前記接触部は、前記レンズ側マウントの形状に合わせて形成された略台形状の切欠であることが好ましい。
【００１４】
また、前記カメラ本体と前記レンズユニットとは、前記本体側マウントと前記レンズ側マウントとの一方に設けられた雄コネクタと、他方に設けられた雌コネクタとを有し、前記雄コネクタと前記雌コネクタとは、前記挟持固定手段が前記レンズ側マウントを挟持固定した際に嵌合して、前記カメラ本体と前記レンズユニットとを電気的に接続することが好ましい。
【００１５】
さらに、前記雄コネクタは、前記カメラ本体から前記レンズユニットに供給する電源の正極用のピン端子と、前記電源の負極用のピン端子と、前記レンズユニットが前記カメラ本体に取り付けられたか否かを検出する際に用いられる検出用のピン端子とを有するとともに、前記負極用のピン端子が最も長く、前記検出用のピン端子が最も短くなるように構成されていることが好ましい。
【００１６】
なお、前記カメラ本体は、前記レンズ側マウントが挿入されていない状態のときに前記本体側マウントを覆う位置と、前記本体側マウントを露呈させる位置との間で移動自在な蓋部材を有することが好ましい。
【００１７】
また、前記レンズ側マウントの側面には、挟持固定される際に前記挟持固定手段の一部が入り込む係合溝が設けられていることが好ましい。
【００１８】
さらに、前記レンズユニットには、前記撮影レンズが結像した被写体像を光電変換して前記被写体像に応じた画像データを取得する撮像素子が設けられていることが好ましい。
【００１９】
なお、撮影レンズが前面に設けられた鏡筒と前記鏡筒の背面に突設された略柱状のレンズ側マウントと前記撮影レンズの光軸と略平行となるように前記レンズ側マウントの側面の少なくとも一部に形成された基準平面とを有するレンズユニットを着脱自在に保持する本発明のカメラは、前記レンズ側マウントが挿抜される略穴状の本体側マウントと、前記本体側マウントに挿入された前記レンズ側マウントを前記基準平面と接触するように挟持して固定する挟持固定手段とを設けたことを特徴とする。
【発明の効果】
【００２０】
本発明のカメラシステム及びカメラでは、鏡筒の背面に突設された略柱状のレンズ側マウントと撮影レンズの光軸と略平行となるようにレンズ側マウントの側面の少なくとも一部に形成された基準平面とをレンズユニットに設け、レンズ側マウントが挿抜される略柱状の本体側マウントと本体側マウントに挿入されたレンズ側マウントを基準平面と接触するように挟持して固定する挟持固定手段とを前記カメラ本体に設けた。挟持固定手段は、基準平面との接触によって本体側マウントに挿入されたレンズ側マウントの位置を決めるとともに、光軸回りの回転を規制するので、レンズユニットの回転位置のズレを確実に防止することができる。また、レンズ側マウントのみを本体側マウントに挿入させるようにしているので、カメラ本体が大型化することもない。さらには、挟持固定手段による固定と固定の解除とを行うだけでレンズユニットを着脱することができるので、操作性の低下を招くこともない。
【発明を実施するための最良の形態】
【００２１】
図１は、カメラシステム１０の構成を概略的に示す斜視図である。カメラシステム１０は、カメラ本体１１とレンズユニット１２とから構成されている。レンズユニット１２は、略有底円筒状に形成された鏡筒１３と、この鏡筒１３の前面に設けられた撮影レンズ１４と、この撮影レンズ１４が結像した被写体像を光電変換するＣＣＤ（撮像素子）１５とを有している。カメラ本体１１は、レンズユニット１２を着脱自在に保持し、種々の制御信号を送受してＣＣＤ１５などを駆動することにより、被写体像に応じたデジタルの画像データを取得する。
【００２２】
また、レンズユニット１２は、例えば、撮影レンズ１４の焦点距離が異なるもの、ＣＣＤ１５の画素数が異なるもの、モノクロ撮影が可能なもの、赤外線撮影が可能なものなど、複数種類のものが予め用意される。カメラシステム１０は、これらの各レンズユニット１２を選択的にカメラ本体１１に装着することにより、撮影状況に適した画像データを容易に得られるようにしている。
【００２３】
カメラ本体１１の上面には、カメラシステム１０に撮影の実行を指示するレリーズボタン１６と、静止画撮影を行う静止画撮影モードや撮影した画像を再生表示する再生モードなどといった各種モードの切り替えを行うモード切替ダイヤル１７とが設けられている。また、カメラ本体１１の前面には、撮影実行に応じて被写体を照射するストロボ発光部１８と、略正八角形状の開口２０ａが形成された有底穴状の本体側マウント２０とが設けられている。
【００２４】
一方、カメラ本体１１の前面と対面するレンズユニット１２の背面には、本体側マウント２０の形状に合わせて略正八角柱状に形成されたレンズ側マウント２２が突設されている。レンズユニット１２は、レンズ側マウント２２を本体側マウント２０に挿入することによってカメラ本体１１に保持される。
【００２５】
図２に示すように、レンズ側マウント２２は、鏡筒１３の背面に取り付けられる第１外径部２４と、この第１外径部２４よりも一回り大きく形成された第２外径部２５とから構成されている。第２外径部２５の外径は、第１外径部２４の外径よりも大きく、かつ本体側マウント２０の内径よりも僅かに小さく形成されている。これにより、レンズ側マウント２２は、嵌り合うことなく、本体側マウント２０に対して緩く挿抜される。また、レンズ側マウント２２の長さは、本体側マウント２０の深さに合わせられており、第２外径部２５の背面を本体側マウント２０の内底面に当接させることによって、奥行き方向の取り付け位置が決められる。
【００２６】
第１外径部２４の両側面には、カメラ本体１１との電気的接続を得るための雌コネクタ２６が設けられている。各雌コネクタ２６は、それぞれ５つのソケット端子２６ａを有している。各ソケット端子２６ａには、例えば、ＣＣＤ１５などを駆動するための制御信号線や電源線などが接続される。
【００２７】
図３に示すように、カメラ本体１１の内部には、本体側マウント２０を挟むように対面して配置された一対のロック部材３１、３２と、これらの各ロック部材を左右方向にスライド移動させる移動機構３３とからなる挟持固定部（挟持固定手段）３０が設けられている。各ロック部材３１、３２は、略平板状に形成されている。また、各ロック部材３１、３２は、第１外径部２４の形状に合わせた台形状の切欠３１ａ、３２ａを有している。さらに、各ロック部材３１、３２は、レンズ側マウント２２が本体側マウント２０に挿入された際に、鏡筒１３の背面と第２外径部２５との間で溝状になった第１外径部２４を挟持するように、その厚みと位置とが調整されている。
【００２８】
移動機構３３は、ユーザからの操作入力に応じて、レンズ側マウント２２の挿抜を可能にする解除位置（図３（ａ）参照）と、挿入されたレンズ側マウント２２を挟持固定する挟持位置（図３（ｂ）参照）との間で、各ロック部材３１、３２を移動させる。挟持位置に移動した各ロック部材３１、３２は、移動機構３３による挟持方向（左右方向）に対して約４５度傾斜した第１外径部２４の各側面２４ａ（図２参照）に各切欠３１ａ、３２ａの傾斜面を接触させてレンズ側マウント２２を挟持固定するとともに、鏡筒１３の背面と第２外径部２５との間に入り込んでレンズ側マウント２２の抜けを確実に防止する。これにより、レンズユニット１２がカメラ本体１１に機械的に保持される。なお、移動機構３３は、スライドレバーなどの手動操作に連動して各ロック部材３１、３２を移動させるものでもよいし、モータなどを駆動して自動で各ロック部材３１、３２を移動させるものでもよい。
【００２９】
また、各ロック部材３１、３２には、各雌コネクタ２６に対応した雄コネクタ３４、３５が形成されている。各雄コネクタ３４、３５は、各ロック部材３１、３２が挟持位置に移動してレンズ側マウント２２を挟持固定した際に、各雌コネクタ２６と嵌合してカメラ本体１１とレンズユニット１２とを電気的に接続する。
【００３０】
雄コネクタ３４は、負極用ピン端子３４ａ、正極用ピン端子３４ｂ、制御信号用ピン端子３４ｃ、３４ｄ、及び検出用ピン端子３４ｅの５つのピン端子を有している。雄コネクタ３５は、雄コネクタ３４と同様に構成されている。また、各雌コネクタ２６のピンアサインは、当然、各雄コネクタ３４、３５に応じて構成される。これにより、各負極用ピン端子３４ａ、３５ａと、各正極用ピン端子３４ｂ、３５ｂとを介してカメラ本体１１からレンズユニット１２に電力が供給されるとともに、各制御信号用ピン端子３４ｃ、３４ｄ、３５ｃ、３５ｄを介して種々のコマンドや取得された画像データなどがカメラ本体１１とレンズユニット１２との間で送受される。
【００３１】
各検出用ピン端子３４ｅ、３５ｅは、例えば、カメラ本体１１内に設けられたＣＰＵ（図示は省略）の入出力端子に接続されている。ＣＰＵは、例えば、各検出用ピン端子３４ｅ、３５ｅが各雌コネクタ２６のソケット端子２６ａに接続された際に、入出力端子の電圧をＨｉからＬｏ、またはＬｏからＨｉに切り替える（いわゆる、プルダウン、プルアップ回路）ことによって、カメラ本体１１にレンズユニット１２が取り付けられたことを検出する。
【００３２】
また、各ピン端子３４ａ〜３４ｅ、３５ａ〜３５ｅは、各負極用ピン端子３４ａ、３５ａ、各正極用ピン端子３４ｂ、３５ｂ、各制御信号用ピン端子３４ｃ、３４ｄ、３５ｃ、３５ｄ、各検出用ピン端子３４ｅ、３５ｅの順に短くなるように長さが変えられている。これにより、各ピン端子３４ａ〜３４ｅ、３５ａ〜３５ｅは、各ロック部材３１、３２が解除位置から挟持位置に移動した際に、各負極用ピン端子３４ａ、３５ａから各雌コネクタ２６に接続され、最後に各検出用ピン端子３４ｅ、３５ｅが接続される。
【００３３】
次に、上記構成によるカメラシステム１０の作用について説明する。レンズユニット１２をカメラ本体１１に取り付ける際には、まず各ロック部材３１、３２が解除位置にある状態で、レンズ側マウント２２を本体側マウント２０に挿入する。この際、レンズ側マウント２２の第２外径部２５の外径を本体側マウント２０の内径よりも僅かに小さくしたので、レンズ側マウント２２の挿抜を容易に行うことができる。また、挿抜時に生じる摩擦などが抑えられるので、各マウント２０、２２の耐久性を向上させることもできる。
【００３４】
レンズ側マウント２２を本体側マウント２０に挿入した後、移動機構３３を駆動して各ロック部材３１、３２を解除位置から挟持位置に移動させると、各ロック部材３１、３２によってレンズ側マウント２２が挟持固定（図３（ｂ）参照）され、レンズユニット１２がカメラ本体１１に機械的に保持される。
【００３５】
挟持位置に移動した各ロック部材３１、３２は、移動機構３３による挟持方向に対して約４５度傾斜した各切欠３１ａ、３２ａの各傾斜面を、レンズ側マウント２２の各側面２４ａに接触させる。各側面２４ａに各切欠３１ａ、３２ａの各傾斜面が接触したレンズユニット１２は、各ロック部材３１、３２が完全に挟持位置に移動する間に、各面の傾斜に沿うようにして、各切欠３１ａ、３２ａの各傾斜面と各側面２４ａとのそれぞれが密接する位置に移動する。
【００３６】
これにより、レンズユニット１２の上下左右方向の位置が正確に決められる。また、撮影レンズ１４の光軸回りの回転が規制されるので、レンズユニット１２の回転位置のズレも確実に防止される。また、挟持位置に移動した各ロック部材３１、３２は、鏡筒１３の背面と第２外径部２５との間に入り込んでレンズ側マウント２２の抜けを確実に防止する。なお、本例では、外径が小さくされた第１外径部２４を請求項記載の係合溝としているが、係合溝は上記に限ることなく、側面の一部を凹ませるなど、レンズユニット１２の挿抜方向に対する係りが生じるものであれば、如何なる形状としてもよい。
【００３７】
各ロック部材３１、３２が挟持位置に移動すると、各雌コネクタ２６と各雄コネクタ３４、３５とが嵌合し、カメラ本体１１とレンズユニット１２とが電気的に接続される。このように、各マウント２０、２２を介してカメラ本体１１とレンズユニット１２とが機械的かつ電気的に接続されることで、カメラシステム１０が撮影可能な状態となる。
【００３８】
各雄コネクタ３４、３５が各雌コネクタ２６と嵌合する際には、最も長い各負極用ピン端子３４ａ、３５ａから接続される。このように電源の負極（いわゆるグランド）を最初に接続することによって、各端子を介して静電気によるサージ電流が流入し、カメラ本体１１やレンズユニット１２の内部回路などが故障してしまうことを防止することができる。
【００３９】
そして、各負極用ピン端子３４ａ、３５ａに続いて、各正極用ピン端子３４ｂ、３５ｂ、各制御信号用ピン端子３４ｃ、３４ｄ、３５ｃ、３５ｄが接続され、最後に最も短い各検出用ピン端子３４ｅ、３５ｅが接続される。このように、各検出用ピン端子３４ｅ、３５ｅを最後に接続することによって、他の端子が正常に接続された状態でのみ、レンズユニット１２の取り付けがカメラ本体１１に検出されるようになる。また、カメラ本体１１に取り付けられたレンズユニット１２に過大な力が加わるなどして、各端子の接続状態が外れてしまった場合などには、接続時と反対に各検出用ピン端子３４ｅ、３５ｅから外れるようになるので、接続が外れたことを確実に検出することができる。なお、ユーザの意図に反して各検出用ピン端子３４ｅ、３５ｅの接続が外れた場合には、カメラ本体１１とレンズユニット１２との間の制御信号の通信を停止する、レンズユニット１２への電力供給を停止する、ユーザに警告を報知するなどといった制御を行うことが好ましい。
【００４０】
また、本例では、レンズ側マウント２２のみを本体側マウント２０に挿入するようにしたので、カメラ本体１１が大型化することもない。さらには、移動機構３３を駆動して各ロック部材３１、３２を挟持位置と解除位置との間で移動させるだけでレンズユニット１２の着脱を容易に行うことができるので、操作性の低下を招くこともない。
【００４１】
なお、上記実施形態では、レンズ側マウント２２を正八角柱状に形成し、このレンズ側マウント２２の形状に合わせて各ロック部材３１、３２に形成された台形状の切欠３１ａ、３２ａを接触させるようにしているが、これらの形状は、上記に限るものではない。例えば、図４に示すように、レンズ側マウント４０を略くの字型の八角柱状に形成し、このレンズ側マウント４０の形状に合わせて形成された台形状の切欠４１ａを有するロック部材４１と、台形状の張り出し４２ａを有するロック部材４２とで挟持固定を行うようにしてもよい。さらには、図５に示すレンズ側マウント４５と各ロック部材４６、４７とのように、各ロック部材４６、４７の一方にのみ傾斜面が形成されるようにしてもよい。
【００４２】
これらのように構成されたレンズ側マウント４０、４５、及び各ロック部材４１、４２、４６、４７であっても、各傾斜面で上下左右の位置が決められるとともに、光軸回りの回転が規制されるので、上記実施形態と同様の効果を得ることができる。なお、本体側マウント２０の形状は、図４、及び図５に示すように、レンズ側マウントの挿抜が可能であればレンズ側マウントと異なる形状であってもよい。
【００４３】
また、図１〜３に示すような正八角柱状のレンズ側マウント２２では、光軸回りに９０度又は１８０度回転した状態でも本体側マウント２０に挿入できてしまうため、間違えた向きでレンズユニット１２を取り付けてしまうことが懸念される。一方、図４、及び図５に示すように、上下又は左右に非対称な形状とすると、レンズ側マウントの挿入方向が一義的に決められるので、間違えた向きでレンズユニット１２が取り付けられてしまうことを確実に防止することができる。
【００４４】
なお、上記各実施形態では、レンズ側マウントを角柱状に形成し、角柱の各側面を光軸と平行な基準平面としているが、レンズ側マウントの形状は、角柱に限るものではない。例えば、図６に示すレンズ側マウント５０のように、円柱の側面を削って基準平面を形成した形状（いわゆる、Ｄカット）などとしてもよい。また、図６に示すロック部材５１、５２は、レンズ側マウント５０の形状に合わせて形成された略円弧状の切欠５１ａ、５２ａを有している。このように構成されたレンズ側マウント５０と、各ロック部材５１、５２とによっても、基準平面との接触によって上下左右の位置決めと、光軸回りの回転の規制とが行われるので、上記各実施形態と同様の効果を得ることができる。
【００４５】
また、上記各実施形態では、各ロック部材に請求項記載の接触部として切欠や張り出しなどを形成し、これらと基準平面とを面同士で接触させるようにしているが、これに限ることなく、例えば、図７に示すロック部材５５、５６のように、半円状の先端形状を有する突起５５ａ、５６ａを接触部として形成し、各基準平面に対して各突起５５ａ、５６ａを点で接触させるようにしてもよい。
【００４６】
なお、上記各実施形態の移動機構３３は、レンズ側マウント２２の挿抜を可能にする解除位置と、挿入されたレンズ側マウント２２を挟持固定する挟持位置との間で、各ロック部材３１、３２を移動させるようにしているが、図８に示すように、レンズ側マウント２２が挿入されていない状態のときに本体側マウント２０を塞いで保護する閉じ位置に各ロック部材３１、３２を移動させるようにしてもよい。本体側マウント２０には、各ロック部材３１、３２をスライド移動させるための隙間が形成されている。このため、例えば、レンズユニット１２を取り付けずに各ロック部材３１、３２を解除位置にしたままカメラ本体１１を保管したりすると、前述の隙間からカメラ本体１１内に塵埃などが入り込んでしまうことがある。これに対し、各ロック部材３１、３２を閉じ位置に移動させておくと、前述の隙間が各ロック部材３１、３２によって埋められるので、保管時などに隙間からカメラ本体１１内に塵埃などが侵入してしまうことを防止することができる。
【００４７】
また、図８に示す例では、各切欠３１ａ、３２ａによって形成される開口の分だけ本体側マウント２０が露呈してしまい、この開口から塵埃などの異物が本体側マウント２０内に侵入してしまうことが懸念される。このため、本体側マウント２０への異物の侵入を防止する際には、図９に示す各ロック部材６０、６１のように、一方に張り出し６０ａを形成し、他方に切欠６１ａを形成するなどして、中心部に生じる開口の面積がなるべく狭くなるようにすることが好ましい。また、この際、各雄コネクタ３４、３５を別の場所に設けるなどして、開口を完全になくせるようにしてもよい。
【００４８】
さらには、図１０に示す各ロック部材６５、６６のように、一方のロック部材６６で本体側マウント２０を確実に塞ぐようにしてもよい。なお、上記各実施形態の移動機構３３は、各ロック部材を左右方向にスライド移動させるようにしているが、スライド移動させる方向（挟持方向）は、撮影レンズ１４の光軸と直交する任意の方向でよい。また、上記各実施形態の移動機構３３は、一対のロック部材のそれぞれを各位置に移動させるようにしているが、移動機構３３は、各ロック部材の一方のみを移動させるものであってもよい。
【００４９】
また、本体側マウント２０の保護は、上記に限ることなく、例えば、図１１に示すように、本体側マウント２０を覆う閉じ位置（図１１（ａ）参照）と、本体側マウント２０を露呈させる開き位置（図１１（ｂ）参照）との間で移動自在なマウントカバー（蓋部材）７０をカメラ本体１１に設けるようにしてもよい。もちろん、各ロック部材による保護とマウントカバー７０による保護とを両立させるようにしてもよい。
【００５０】
さらに、上記各実施形態では、各ロック部材と移動機構３３とからなる挟持固定部３０によって、本体側マウント２０に挿入されたレンズ側マウント２２を挟持固定するようにしているが、レンズ側マウント２２の挟持固定は、上記に限るものではなく、例えば、図１２に示すように構成してもよい。図１２のカメラ本体８０は、レリーズボタン８５などが設けれた第１外装ケース８１と、この第１外装ケース８１にスライド自在に取り付けられた略Ｌ字型の第２外装ケース（スライド部材）８２とを有している。カメラ本体８０の前面中央には、本体側マウント８６が設けられており、各外装ケース８１、８２には、本体側マウント８６の開口となる台形状の切欠８１ａ、８２ａが形成されている。
【００５１】
横方向にスライド自在に取り付けられた第２外装ケース８２は、本体側マウント８６の開口面積を広げてレンズ側マウント２２の挿抜を可能する解除位置（図１２（ｂ）参照）と、本体側マウント８６の開口面積を狭めて第１外装ケース８１とともに挿入されたレンズ側マウント２２を挟持固定する挟持位置（図１２（ｃ）参照）との間で移動する。
【００５２】
このように構成されたカメラ本体８０であっても、各切欠８１ａ、８２ａと基準平面との接触によって上下左右の位置決めと、光軸回りの回転の規制とが行われるので、上記各実施形態と同様の効果を得ることができる。また、第２外装ケース８２は、レンズ側マウント２２が挿入されていない状態のときに、挟持位置よりもさらに本体側マウント８６の開口面積を狭めた携帯位置（図１２（ａ）参照）に移動するので、カメラ本体８０のさらなる小型化を図ることができる。
【００５３】
なお、カメラ本体８０は、第２外装ケース８２を各位置で保持するクリックストップ機構などを設けるか、あるいは携帯位置側に付勢する弾性体などを設けるなどして、レンズ側マウント２２の挟持固定が簡単に解除されないようにしておくことが好ましい。また、図１２に示す例では、第２外装ケース８２をスライド部材として示したが、スライド部材は、これに限ることなく、本体側マウント８６の開口面積を増減させるようにスライド移動するものであれば、如何なる形状のものでもよい。
【００５４】
さらに、上記各実施形態では、撮影レンズ１４とＣＣＤ１５とを内蔵したレンズユニット１２と、このレンズユニット１２を着脱自在に保持するカメラ本体１１とからなるカメラシステム１０に本発明を適用した例を示したが、これに限ることなく、例えば、ＣＣＤ１５がカメラ本体１１側に設けられ、撮影レンズ１４のみが着脱自在となったレンズ交換式のデジタルカメラに本発明を適用してもよい。さらには、デジタルカメラに限ることなく、写真フイルムに被写体像を露光記録するレンズ交換式の銀塩カメラに本発明を適用してもよい。
【図面の簡単な説明】
【００５５】
【図１】カメラシステムの構成を概略的に示す斜視図である。
【図２】レンズ側マウントの構成を概略的に示す斜視図である。
【図３】挟持固定部の構成を概略的に示す説明図である。
【図４】レンズ側マウントを略くの字型にした例を示す説明図である。
【図５】傾斜面を各ロック部材の一方のみに設けた例を示す説明図である。
【図６】レンズ側マウントをＤカット型にした例を示す説明図である。
【図７】基準平面と点で接触する例を示す説明図である。
【図８】各ロック部材を閉じ位置に移動させる例を示す説明図である。
【図９】各ロック部材を閉じ位置に移動させた際に生じる開口面積を狭めた例を示す説明図である。
【図１０】各ロック部材の一方で本体側マウントを塞ぐ例を示す説明図である。
【図１１】カメラ本体にマウントカバーを設けた例を示す説明図である。
【図１２】スライド部材でレンズ側マウントを挟持固定する例を示す説明図である。
【符号の説明】
【００５６】
１０  カメラシステム
１１、８０  カメラ本体
１２  レンズユニット
１３  鏡筒
１４  撮影レンズ
１５  ＣＣＤ（撮像素子）
２０  本体側マウント
２２  レンズ側マウント
２４  第１外径部（係合溝）
２４ａ  側面（基準平面）
２５  第２外径部
２６  雌コネクタ
３０  挟持固定部（挟持固定手段）
３１、３２  ロック部材
３１ａ、３２ａ  切欠（接触部）
３３  移動機構
３４、３５  雄コネクタ
３４ａ、３５ａ  負極用ピン端子
３４ｅ、３５ｅ  検出用ピン端子
７０  マウントカバー（蓋部材）
８１  第１外装ケース
８２  第２外装ケース（スライド部材）
８１ａ、８２ａ  切欠（接触部）
【図１】
2007219140.tif 000003
【図２】
2007219140.tif 000004
【図３】
2007219140.tif 000005
【図４】
2007219140.tif 000006
【図５】
2007219140.tif 000007
【図６】
2007219140.tif 000008
【図７】
2007219140.tif 000009
【図８】
2007219140.tif 000010
【図９】
2007219140.tif 000011
【図１０】
2007219140.tif 000012
【図１１】
2007219140.tif 000013
【図１２】
2007219140.tif 000014